(57)【特許請求の範囲】
【請求項１】
店舗内の位置スポットでの販売促進商品ディスプレイを管理するために無線周波数識別（ＲＦＩＤ）タグを用いる方法であって、
店舗内の複数の位置スポットに、それぞれが前記位置スポットの１個を固有に識別する第１の複数のＲＦＩＤタグを貼付すること、
販売促進商品ディスプレイに、それぞれが前記販売促進商品ディスプレイにおける１個又はそれ以上の製品を識別する第２の複数のＲＥＩＤタグを貼付すること、
前記販売促進商品ディスプレイとこれに貼付された前記第２の複数のＲＦＩＤタグとを前記位置スポットに配置すること、
前記店舗内の１個の位置スポット又はその近くで、該位置スポット又はその近くにおける前記第１及び第２の複数のＲＦＩＤタグからの無線周波数信号を検出する為に、スキャンすること、
検出された少なくとも１個の前記第１の複数のＲＦＩＤタグと検出された少なくとも１個の前記第２の複数のＲＦＩＤタグからの情報をサーバコンピュータのデータベースに送信すること、
前記販売促進商品ディスプレイが販売促進ディスプレイ計画に従っているかの決定のために、前記サーバコンピュータによって、前記情報を、前記サーバコンピュータのデータベースに格納された前記販売促進ディスプレイ計画に対して比較することであって、前記販売促進ディスプレイ計画は、前記販売促進商品ディスプレイが前記店舗内の異なる位置スポットと時間に現れるように計画された時間と位置とを含み、更に、
前記販売促進商品ディスプレイが前記販売促進ディスプレイ計画に従っていない場合、前記サーバコンピュータによって、前記位置スポットと前記販売促進商品ディスプレイとに関する情報を含む、前記店舗への通知を発生すること、を備える方法。
【請求項２】
請求項１に記載の方法であって、前記店舗内の位置スポットは、前記店舗内での製品配置に望ましいホットスポットである、方法。
【請求項３】
請求項１に記載の方法であって、前記第１のＲＦＩＤタグのそれぞれは、前記位置スポットを固有の無線周波数によって固有に識別する、方法。
【請求項４】
請求項１に記載の方法であって、少なくとも１個の前記第１の複数のＲＦＩＤタグは単一の製品を固有に識別する、方法。
【請求項５】
請求項１に記載の方法であって、少なくとも１個の前記第１の複数のＲＦＩＤタグは製品グループを固有に識別する、方法。
【請求項６】
請求項１に記載の方法であって、前記スキャンは、携帯ＲＦＩＤリーダーによって実行される、方法。
【請求項７】
請求項６に記載の方法であって、前記ＲＦＩＤリーダーはＧｅｎ−２リーダーである、方法。
【請求項８】
請求項１に記載の方法であって、前記スキャンは、店舗内の固定された位置に取付けられた複数のＲＦＩＤリーダーによって実行される、方法。
【請求項９】
請求項１に記載の方法であって、前記スキャンは、周期的に又はスケジュールに従って実行される、方法。
【請求項１０】
請求項１に記載の方法であって、前記スキャンは、ＲＦＩＤスキャナを店舗内の移動物体に取付けることによってユビキタスに実行される、方法。
【請求項１１】
請求項１に記載の方法であって、前記第１の複数のＲＦＩＤタグと前記第２の複数のＲＦＩＤタグの前記位置スポット又はその近くでのスキャンは、実質的に同じ時間に実行される、方法。
【請求項１２】
請求項１に記載の方法であって、前記スキャンによって得られる前記情報は、ＲＦＩＤタグ中に格納された識別データ、ＲＦＩＤタグからの前記無線周波数信号の強度、及び前記スキャンのタイミングの少なくとも１個を含む、方法。
【請求項１３】
請求項１に記載の方法であって、前記スキャンから得られた前記情報は、無線通信チャンネル上を送信される、方法。
【請求項１４】
請求項１に記載の方法であって、前記スキャンから得られた前記情報は、前記スキャンの直後に送信される、方法。
【請求項１５】
請求項１に記載の方法であって、前記スキャンから得られた前記情報は、バッチとして送信される、方法。
【請求項１６】
請求項１に記載の方法であって、前記スキャンから得られた前記情報の比較は、
前記少なくとも１個の前記第１の複数のＲＦＩＤタグからの情報と前記少なくとも１個の前記第２の複数のＲＦＩＤタグからの情報とを識別すること、
相関データを生成するために、前記少なくとも１個の前記第１の複数のＲＦＩＤタグからの情報と前記少なくとも１個の前記第２の複数のＲＦＩＤタグからの情報とを相関させること、及び
前記相関データを前記販売促進ディスプレイ計画と比較すること、を含む、方法。
【請求項１７】
請求項１に記載の方法であって、前記販売促進ディスプレイ計画は前記位置スポットでの前記販売促進商品ディスプレイのスケジュールを含む、方法。
【請求項１８】
請求項１に記載の方法であって、更に、
チェックアウトカウンタで販売促進商品ディスプレイ中の製品の販売を記録すること、
前記少なくとも１個の前記第１の複数のＲＦＩＤタグ及び前記少なくとも１個の前記第２の複数のＲＦＩＤタグからのスキャンによって得られた情報を前記販売の情報と相関させること、及び
位置スポットからの製品の販売統計と、異なる位置スポットから販売された製品の比較との少なくとも１個を含むレポートを生成すること、を含む、方法。
【請求項１９】
請求項１８に記載の方法であって、前記製品の販売の情報は、ＰＯＳシステム、ＲＦＩＤスキャン、及びＰＯＳシステムとＲＦＩＤスキャンとの組合せの１つから得られる、方法。
【発明の詳細な説明】
【技術分野】
【０００１】
本出願は、「ＲＦＩＤ  Ｐｒｏｍｏｔｉｎａｌ  Ｃｏｍｐｌｉａｎｃｅ」と題された、２００７年８月２４日出願の米国仮特許出願第６０／９５４７，７５８号に基づいて優先権を主張し、この出願の全てを参照によって本出願に組み入れる。
【０００２】
本発明は、無線周波数識別（ＲＦＩＤ）タグを使用して販売促進商品ディスプレイを管理するための方法に関する。特に、本発明は、店舗内のホットスポットと関連した位置ＲＦＩＤタグからの情報、及び販売促進商品ディスプレイと関連した商品ＲＦＩＤタグからの情報を、販売促進商品ディスプレイが販売促進ディスプレイプランに一致しているか否かを決定するために、収集し分析する方法に関する。
【背景技術】
【０００３】
例えば消費財のような製品の供給業者は往々にして、小売店を通して特定の期間、ディスカウントで特定の商品の販売促進を行う。販売を増加させ或いは特定のブランド、製品又は製品の種類を認識させるために、販売促進商品を特別の販売促進商品ディスプレイにディスプレイさせることもできる。販売促進商品ディスプレイの成功は往々にして、ショッピングシーズン、販売キャンペーン及び店舗内配置と連携して、商品のタイムリーな仕入れ、ディスプレイ期間及び店舗内での特定の配置に依存する。販売促進商品ディスプレイに成功すると、その商品の販売を大きくのばすことができる。
【０００４】
販売促進商品ディスプレイの製品は、売り場又は棚へ運び出すために、先ず、一定の期間、店舗の倉庫又は裏部屋に出荷される。小売店又は供給業者の販売促進ターゲットに合致するか或いは超えるかは、販売促進商品ディスプレイを店舗内の正しい場所に正しい期間、出荷することに依存している。一方、販売促進商品ディスプレイの運用がまずいと、顧客の不満を招き及び／又は販売ターゲットを失うことになり得る。例えば、販売促進商品ディスプレイが正しい場所に間に合って運び出すことができなければ、顧客は、例えばＴＶ又は新聞によって広告された商品を購入することができないために、欲求不満を覚えるであろう。
【０００５】
タイミング因子に加えて、店舗内の売り場又は棚を、商品を販売するための望ましさに従って分類することができる。商品を販売するために望ましい場所は“ホットスポット”と称される。他の場所よりもホットスポットの方が商品が良く売れるため、これらのホットスポットは往々にして、販売促進商品の場所となる。店舗内におけるこれらのホットスポットは、正面玄関又は正面通路に近い場所、或いは顧客が商品を探しやすいレベルの棚であり得る。
【発明の概要】
【０００６】
本発明は、小売店において販売促進商品のディスプレイをＲＦＩＤタグを用いてシステマティックに管理するための方法を提供する。例えばホットスポットのような店舗内の場所を識別し、且つ、販売促進商品ディスプレイを識別するＲＦＩＤタグから収集した情報を、販売促進商品をタイムリーに置くこと、例えば、倉庫から売り場のホットスポットへ或いはホットスポットからその商品を購入した顧客へ移動すること、を管理するために使用することができる。更に、収集した情報を、販売促進商品ディスプレイが計画通りに実行されているか否かを決定するために、分析することもできる。ＲＦＩＤ販売促進商品ディスプレイのための方法は、その販売促進商品ディスプレイがどのくらい長く適正にディスプレイされたかを検証することができ、且つ、販売促進ディスプレイの中のどの製品が顧客に購入されたかを追跡することができる。ＲＦＩＤ販売促進コンプライアンス方法によって集められた、例えば、倉庫からホットスポットへ或いは売り場から顧客へと、商品がどのように流れるかについての統計データを、販売促進ディスプレイがどのように効果的であるかをレポートするために分析することもできる。統計データの例としては、一日或いは一週間当たり幾つのアイテムが売れたか、又は、特定の製品に関して特定のホットスポットがどれくらい効果的であったか、を含むこともできる。店舗内の異なるホットスポットで、或いは同じ年の異なる期間で売れた類似又は異なる製品に関して比較することもできる。
【０００７】
店舗内のそれぞれのホットスポット位置に、そのホットスポットを固有に識別するＲＦＩＤタグを付けることができる。これらのホットスポット位置は、棚、或いは単に売り場に位置するパレットであっても良い。販売促進商品ディスプレイの目的は、販売促進商品を、その販売促進期間の間、ＲＦＩＤタグ付け可能なホットスポット位置に移動させることでもある。
【０００８】
更に、例えば、販売促進商品を店舗に出荷する以前に、商品にＲＦＩＤタグを予め付けることによって、ＲＦＩＤタグを販売促進商品ディスプレイと関連付けることもできる。販売促進ディスプレイを売り場又は棚に移動させた場合、従業員は販売促進商品ディスプレイと関連付けられたタグをスキャンし、或いは、例えばＧｅｎ−２ＲＦＩＤスキャナのようなＲＦＩＤデータ収集装置によってホットスポットと関連するタグをスキャンすることができる。その後、位置ＲＦＩＤタグ及び商品ＲＦＩＤタグの両者から収集された情報をコンピュータサーバに送信し、ここで、販売促進商品ディスプレイをホットスポットと関連させるために、販売促進ディスプレイからのタグ情報を店舗内の物理的なホットスポットにシステマティックに相関させることもできる。
【０００９】
例えば、従業員が店舗内を歩き回り携帯用ＲＦＩＤスキャナを使用してＲＦＩＤタグをスキャンすることにより、能動的にＲＦＩＤタグ情報の収集を実行することができ、或いは、例えば床掃除機、フォークリフト或いはウエアラブルデバイスのような移動デバイス上にマウントされたＲＦＩＤスキャナを使用して受動的にＲＦＩＤタグ情報を収集することができる。決定された販売促進ディスプレイの物理的な位置をデータベースに格納された販売促進ディスプレイの予定表と比較することによって、この店では、販売促進商品ディスプレイの適正な実行をモニタしかつ保証することができる。
【００１０】
店舗内に配置された位置ＲＦＩＤタグの情報を、各ＲＦＩＤタグの位置を特定するためのデータベース中に維持することができる。本発明では、販売促進商品ディスプレイと関連したＲＦＩＤタグとホットスポットと関連した位置ＲＦＩＤタグとを同時に或いはほぼ同時にスキャンして読取ることができる。単位時間当たりのタグ読み取りの数、例えばタイムスタンプを使用して記録されたスキャン時間、及びＲＦＩＤ信号強度のような特徴を、ＲＦＩＤ読み取りの脱線を軽減し、且つ販売促進商品ディスプレイを間違った位置と関連させる可能性を減少するために用いても良い。例えば、製品ＲＦＩＤタグのタイムスタンプを位置ＲＦＩＤタグのタイムスタンプと比較することによって、同じ位置にどのタグが見られるかを示すことができる。別の事例では、ＲＦＩＤタグからの信号強度を調べることによって、応答の弱いＲＦＩＤタグを検討から除外することができる。
【００１１】
本発明は以下の効果を提供する。即ち、小売店に対しては、本発明は、特定の時間及び正確な場所において売り場での販売促進商品を保証し、チェーンストアの全店にわたって販売促進商品ディスプレイの実行を評価する能力を提供し、計画された販売促進商品ディスプレイを保証するためにタイムリーに反応することを可能とし、供給業者に彼らの製品が倉庫から売り場に移動したことの証明及び保証を提供して販売を伸ばす。本発明は、供給業者に対して、販売促進キャンペーンの有効性と販売に対する相関度を評価する能力を提供する。本発明は、顧客に対して、販売促進商品が売り場にあって顧客がアクセスしやすいことを保証することができる。
【図面の簡単な説明】
【００１２】
【図１】本発明の一実施形態に従った、ホットスポットを有する店舗レイアウトの一例とＲＦＩＤタグスキャナの一例を示す図。
【図２】本発明の一実施形態に従った、販売促進商品ディスプレイの管理のためのＲＦＩＤ販売促進コンプライアンス方法を示す図。
【発明を実施するための形態】
【００１３】
図１は、本発明の一実施形態に従った、ホットスポットを有する店舗レイアウトの一例とＲＦＩＤタグスキャナの一例を示している。例えば、ウォルマートのような小売店１００は複数の入り口を持っている場合がある。小売店への入り口は、その店の所在地及びそこを通り抜ける顧客数に従って、正面入り口１０２、１０４及び側面入り口１０６、１０８に分類される。
【００１４】
店舗内で、顧客が異なる通路を通って近づきやすい異なるスポットにある、例えば棚やパレット上に商品を配置することができる。店の売り場のあるスポット又は棚は、例えば正面玄関或いは正面通路に近いために、他のスポットよりも顧客が容易に近づくことができ、それ故、その店にとってより価値がある。これらのより近づきやすいスポットは、ここではホットスポット１０８、１１０、１１２、１１４、１１６及び１１８として言及される。例えば、顧客が第１の入り口１０２から店舗１００の中に歩いて入ってくる場合、その顧客は、直ちにホットスポット１０８及び１１０に置かれた商品に出会う。同様に、第２の主要な入り口１０４を通って歩いてくる顧客はホットスポット１１６及び１１８に出会う。ホットスポットは、店に与える潜在的な可能性に従って、幾つかのカテゴリに分類することができる。例えば、正面入り口１０２及び１０４に近いホットスポット１０８、１１０、１１６及び１１８は、それらが正面入り口に近いために、レベル−１として特徴付けることができる。ホットスポット１１２及び１１４は、第２の入り口１０６及び１０８に近いために、レベル−２として特徴付けることができる。この事例では、レベル−１のホットスポットはレベル−２のホットスポットよりも更に価値がある。本発明の異なる実施形態では、ホットスポットのレベルの数を変化させることができる。店舗の床に加えて、ホットスポットは棚、パレット、壁或いは、その上に販売のために商品をディスプレイすることができるその他の全てのタイプの表面を含むことができる。それらは更に、高さへの配慮を含んでいても良い。例えば、棚の同じラック内であっても、真ん中の棚は容易に近づくことができるのでホットスポットであり、一方、最上部及び最下部の棚はそうではない。
【００１５】
一つのエリアがホットスポットであるか否か、もしそうであればどのレベルかを、経験及び販売履歴に基づいて決定することができる。例えば、ホリデーシーズンに渡ってある位置スポットにおいて売れた商品の量は、そのスポットがホットスポットであるか否か、更にそうである場合、どのホットスポットレベルかを示す、良い指針であり得る。
【００１６】
各ホットスポットを、タグを固有に識別する連続番号を備えるＲＦＩＤタグによって識別することができる。図示目的及び利便性のために、図１は、ホットスポット１−６として固有にレベル分けされた６個のホットスポットを示している。本発明の一実施形態によれば、ホットスポットの位置は、たとえば店舗の中心を始点とする、店舗マップ座標システム（図示せず）上の座標として表すことができる。レベルが付された各ホットスポットは、その後、座標と関連付けられ、データベース中に格納される。ホットスポットの座標は、携帯ＲＦＩＤタグスキャナ１２０によって地図上に示される。例えば、店舗の従業員は、例えば携帯型Ｇｅｎ−２ＲＦＩＤスキャナを持ってそれぞれのホットスポットを歩き回り、ホットスポットの座標に固有のＲＦＩＤタグ連続番号を付けることができる。
【００１７】
別の実施形態では、店舗に複数の固定ＲＦＩＤスキャナ１２２、１２４、１２６、１２８、１３０、１３２、１３４、及び１３６を設置することができる。これらの固定ＲＦＩＤスキャナの、店舗内マップの始点に対する座標を、先立って測定しておくことができる。次に、固定ＲＦＩＤスキャナのそれぞれは、異なる強度又は異なる単位時間当たりの受信数でＲＦＩＤ信号の送信を受信する。ある番号の強いＲＦＩＤ信号は、その番号のＲＦＩＤタグがスキャナに近いことを示している。反対に、弱いＲＦＩＤ信号はＲＦＩＤタグが遠いことを示している。同様に、ＲＦＩＤ信号の単位時間当たりの受信回数が多い場合は、そのＲＦＩＤタグが近いことを示している。反対に、ＲＦＩＤ信号の単位時間当たりの受信回数が少ない場合は、ＲＦＩＤタグが遠いことを示している。
【００１８】
ホットスポットの座標は、固定ＲＦＩＤスキャナからの三角測量法に基づいて計算することができる。本発明の一実施形態では、固定ＲＦＩＤスキャナ１２６及び１２８は、固有の連続番号が付されたホットスポット１からのＲＦＩＤ信号を受信することができる。ＲＦＩＤ信号の強度及び／又は受信回数に基づいて、ホットスポット１から固定ＲＦＩＤスキャナ１２６までの距離１３８及びホットスポット１から固定ＲＦＩＤスキャナ１２８までの距離１２８を推定することができる。ホットスポット１の店舗内マップの始点に対する座標を、ホットスポット１に近い固定ＲＦＩＤスキャナ１２６及び１２８からの三角測量法に基づいて計算することができる。
【００１９】
ホットスポットの位置を決定すると、これらのホットスポットの座標をサーバコンピュータに連結されたデータベースに格納することができる。本発明の一実施形態では、ホットスポットの位置を、対応する座標とＲＦＩＤタグ情報とで記録したリストとして、格納することができる。別の方法として、ホットスポットの位置を、テーブル、アレイ又はデータ構造の何らかの形式で、データベース中に格納することができる。
【００２０】
図２は、本発明の一実施形態に従って、販売促進商品ディスプレイを管理するための、ＲＦＩＤ販売促進コンプライアンス方法の一例を示している。上記で説明したように、２０２において、店舗内の各ホットスポットを固有ＲＦＩＤタグと関連させることができる。固有の位置ＲＦＩＤはホットスポットの位置を示し、これをデータベース中に格納することができる。供給業者は、２０６において、店舗に出荷する前にその商品を識別するＲＦＩＤタグを、販売促進商品ディスプレイに予めタグ付けすることができる。販売促進ディスプレイ上に配置する商品の時間と量についての指示を供給業者から受信すると、２０４において、その店舗では、供給業者からの明細及びホットスポットの使用可能性に基づいて販売促進商品ディスプレイに対する計画表を作ることができる。この計画表は、販売促進商品を倉庫から売り場又は棚に、何時、何処に移すかを含んでいる。２０８において、商品を、倉庫から売り場又は棚に移動することができる。
【００２１】
本発明の一実施形態によれば、店舗の通常の作業期間内に、位置及び商品ＲＦＩＤタグの両方をスキャンすることができる。このスキャンは、例えば携帯型ＲＦＩＤスキャナを持って従業員が店舗内を歩き回ることによって、能動的に実施することができる。別の方法としては、このスキャンを、例えば図１に示す様に壁に取付けたＲＦＩＤスキャナによって受動的に実施することができる。壁に取付けたＲＦＩＤスキャナは、例えば時間又は日にちベースで或いはオペレータによる指示に基づいて、一定の時間間隔で位置及び商品ＲＦＩＤタグを読取ることができる。ＲＦＩＤスキャナは更に、例えば掃除機のような移動装置上に取付け、或いは従業員のユニフォーム上に装着することができる。この方法により、位置及び商品ＲＦＩＤタグの両方を、時間及び位置に渡ってユビキタスに読取ることができる。
【００２２】
上記で議論したように、それぞれの位置ＲＦＩＤタグは店舗内の各ホットスポットを固有に識別する。同様に、各商品ＲＦＩＤタグは、タグと関連する１個又はそれ以上の商品を識別することができる。例えば、商品ＲＦＩＤタグを商品の異なるクラスを識別するために使用することができる。このクラスには、例えば、ディスプレイレベル（ディスプレイ中の全ての製品）、パレットレベル（パレット上の全ての製品）、グループレベル（製品のグループ）或いは個々の製品レベル（それぞれの製品を別々に識別することができる）が含まれる。例えば、ある製品が、製品のパレットレベルを表すＧＴＩＮ（世界貿易識別番号）有するかどうか、製品のグループレベルを表す異なるＧＴＩＮを有するかどうか、更に、別のＧＴＩＮ、又は、その製品の販売ユニットを表すＵＰＣを有するかどうかである。これらの異なるＧＴＩＮレベルのそれぞれは、ＲＦＩＤタグ中に符号化され、そのタグを読取った人間に、固有の連続番号と共に、たった今読取ったＲＦＩＤタグのグループ及びレベルを知る能力を提供する。ＧＴＩＮ情報をテーブル中に格納することによって、その店舗は、どの製品が、その製品がバーコードシステムを用いて販売されたか否かによらず、どの販売促進商品ディスプレイと関連しているか、を知ることが可能となる。例えば、位置タグテーブルは、第１のレベルにおいて、各位置ＲＦＩＤタグに対して測定されたＲＦＩＤ強度インジケータ（ＲＳＳＩ）を含むことができる。第２のレベルにおいて、そのテーブルは位置ＲＦＩＤタグからホットスポットへの関連性を含んでいる。第３のレベルにおいて、位置タグテーブルは、ある期間ホットスポットに配置すべき製品のスケジュールを含んでいる。製品タグテーブルは、第１のレベルにおいて、例えばパレットと関連する製品タグ情報を含んでいる。位置ＲＦＩＤタグと製品ＲＦＩＤタグ間の関連性を調べることにより、製品が正しいホットスポットに正しい時間、置かれたか否かを明らかにすることができる。
【００２３】
固有のＲＦＩＤタグとそれらの位置を記録することに加えて、例えばタイムスタンプの形状でＲＦＩＤスキャンの時間を記録して、ホットスポットにおける販売促進ディスプレイキャンペーンの開始と終わりを決定することができる。本発明の一実施形態では、このタイムスタンプは、例えばメモリやハードドライブのようなコンピュータ読み取り可能媒体に格納されたデータ構造であり、このデータ構造はＲＦＩＤタグがスキャンされた時間の記録と関連する固有のＲＦＩＤを含んでいる。この方法によって、ホットスポットにおける商品の期間或いは複数のホットスポットにおける期間をタイムスタンプから計算することができる。更に、本発明は、例えば、チェックアウトカウンタで商品ＲＦＩＤタグをスキャンすることにより、販売促進商品の販売期間中に獲得された情報を記録することができる。本発明の別の実施形態では、販売情報を、例えば、バーコードリーダーのような販売時点管理（ＰＯＳ）タグ読み取りシステムによって獲得することもできる。これは、販売促進ディスプレイ製品を、特定の追跡された販売促進ディスプレイと関連させることが可能なＰＯＳシステムによって達成される。例えば、これは、ＲＦＩＤタグ付けされた販売促進ディスプレイと共に出荷された製品のバーコードＵＰＣを知ることによって、達成することができる。小売店に通常ストックされている製品に比べて異なるバーコードＵＰＣ情報を単に販売促進製品に持たせることによって、これらの（ホットスポット販売促進）製品を他の類似の製品から区別することが可能である。
【００２４】
２１２で、位置及び商品ＲＦＩＤタグから獲得された情報を、通信チャンネルを介してサーバコンピュータ（図示せず）に送信して、データベース中に格納させることができる。本発明の好ましい実施形態では、獲得された情報は、ＲＦＩＤ連続番号、ＲＦＩＤ信号強度、及びタイムスタンプを含んでいる。送信は、例えば壁の上に取付けられた固定ＲＦＩＤスキャナに接続することにより通信回線によって、或いは、Ｗｉ−Ｆｉ又はその他の何らかの適当なワイヤレス接続標準を用いてワイヤレスに行うことができる。
【００２５】
サーバコンピュータは店舗内にあっても良く、あるいは多数の店舗に対する中央集中位置に離れて存在していても良い。２１４で、サーバコンピュータは、位置情報と商品情報に基づいて相関データ構造を生成するために、コンピュータコードを実行することができる。相関データは販売促進商品ディスプレイをホットスポットと関連させることができる。相関データ構造の一例を以下の表において提供する。例えば、表１は、位置ＲＦＩＤタグのＲＳＳＩを位置ＲＦＩＤタグのインストールの間に測定し且つ記録することができることを示している。複数の位置ＲＦＩＤタグが検出された場合、どのタグがＲＦＩＤスキャナに最も近いかを決定するために、位置ＲＦＩＤタグの測定されたＲＳＳＩを、位置ＲＦＩＤタグからそのＲＦＩＤスキャナがどれくらい近いかを決定するための基準とすることができる。
【表１】
0005457353.tif 000002
【００２６】
表２は、位置ＲＦＩＤタグがホットスポット位置と関連していることを示している。
【表２】
0005457353.tif 000003
【００２７】
更に、在庫保管ユニット（ＳＫＵ）番号によって表される製品をＲＦＩＤタグの異なるレベルと関連付けることができる。例えば、表３は、ＳＫＵ１の製品ｘがグループ１２３、パレット３４５及び販売ユニット５６７と関連付けられ、ＳＫＵ３の製品ｙがグループ１１２、パレット２２３及び販売ユニット２４２と関連付けられることを示している。
【表３】
0005457353.tif 000004
【００２８】
更に、販売促進商品ディスプレイをスケジュール表で計画することができる。表４は、ホットスポット１が販売促進製品ＳＫＵ１を４月４日から４月１８日までディスプレイするように計画され、更に、ホットスポット３が販売促進製品ＳＫＵ３を４月４日から４月１８日までディスプレイするように計画された、スケジュール表の一例を示している。
【表４】
0005457353.tif 000005
【００２９】
表４に基づいて、ホットスポットにおける製品タグのＲＦＩＤスキャンは、販売促進商品ディスプレイの実行を示すことができる。例えば、表５は、４月５日のホットスポット１及び３におけるＲＦＩＤタグスキャンの一例を示している。表５の最初の行は、（位置ＲＦＩＤタグＴ１によって識別された）ホットスポット４がパレット４５６上の製品ＳＫＵ１と関連付けられていることを示している。この情報は、製品ｘに対して計画されたホットスポットが、表４に基づく販売促進ディスプレイスケジュールに従って実行されていないことを示している。表５の二番目の行は、（位置ＲＦＩＤタグＴ４によって識別された）ホットスポット２がパレット２２３上の製品ＳＫＵ３と関連付けられていることを示している。この情報は、製品ｙに対して計画されたホットスポットが、表４に基づく販売促進ディスプレイスケジュールに従って実行されたことを示している。
【表５】
0005457353.tif 000006
【００３０】
上記で議論した方法によって収集された販売促進ディスプレイデータを、２２０において、更に、記録し且つ分析することができる。例えば、販売促進ディスプレイから販売までの時間を、販売によって獲得された情報をＲＦＩＤタグに対する記録されたタイムスタンプと比較することによって計算することができる。例えば、本発明は、商品が売れるまでどのくらい長くディスプレイされていたかを決定するために、販売促進商品の販売の間に獲得された情報を記録することができる。特別な追跡及び取引データを個々の商品に対して保持することにより、製品が何時販売され或いは店舗内の何処に残されているかを決定することができる。全てのホットスポットでディスプレイされた商品について収集された情報を比較することにより、例えば、各ホットスポットの販売製品に関する有効性を決定することができる。この有効性は、販売量と速度に関して評価することができる。分析の結果は、どのホットスポットがある製品に対してより望ましいかを示すレポートとして蓄積することができる。本発明の一実施形態では、この販売促進ディスプレイのレポートは、いつ販売促進ディスプレイが特定の場所において開始されたか、どれくらい長くその位置に販売促進ディスプレイが残っていたか、及び、いつその販売促進商品が売れたか、店に残されたか、或いは倉庫に返還されたか、を含んでいても良い。このレポートは更に、例えば、同じ会社又は競争会社によって製造された同じ又は類似の製品の、異なるホットスポット位置において、同じ時間或いは、例えば異なる販売促進シーズンのような、異なる時間に渡る、販売に関する情報を含んでいても良い。
【００３１】
当業者であれば上記の記載から、本発明が種々の形で実施されること及び種々の実施形態を単独で或いは組み合わせて実施できることを容易に理解することができる。従って、本発明の実施形態を特別な事例と関連して説明したが、その他の変更が、図面、明細書及び請求の範囲を参照することによって当業者にとって容易であるため、本発明の実施形態及び／又は方法の真の範囲は、それらに限定されることはない。
【図１】
0005457353.tif 000007
【図２】
0005457353.tif 000008